(57)【要約】【課題】捺印中において不用意にロック状態が解除されるのを防止することができる印判を提供する。【解決手段】外筒１と、この外筒１内を上下に摺動可能であり、下方に印字体を備えた本体部２を有し、捺印時において前記本体部２の外周壁と前記外筒１の内周壁のいずれか一方に突設した突起２ａと、他方に前記突起２ａと係合する係止部１ａとからなり前記外筒１に対して本体部２を所定位置でロック可能なロック部と、前記外筒１又は前記本体部２に設けた本体部のロック状態を解除するロック解除部と、からなる印判であって、前記本体部２に係止されて本体部２と一体的に上下動するホルダー４を取り付け、このホルダー４の周壁部４ａにより前記ロック解除部が隠蔽される構造とした。【選択図】図２
2020157694.tif 000002
【特許請求の範囲】
【請求項１】
外筒と、この外筒内を上下に摺動可能であり、下方に印字体を備えた本体部を有し、捺印時において前記本体部の外周壁と前記外筒の内周壁のいずれか一方に突設した突起と、他方に前記突起と係合する係止部とからなり前記外筒に対して本体部を所定位置でロック可能なロック部と、前記外筒又は前記本体部に設けた本体部のロック状態を解除するロック解除部と、からなる印判であって、
前記本体部に係止されて本体部と一体的に上下動するホルダーを取り付け、
このホルダーの周壁部により前記ロック解除部が隠蔽される構造としたことを特徴とする印判。
【請求項２】
本体部の底面にインキ供給用の孔部が形成されており、この孔部上に直液式のインキカートリッジがセットされている請求項１に記載の印判。
【発明の詳細な説明】
【技術分野】
【０００１】
本発明は、捺印中において不用意にロック状態が解除されるのを防止することができる印判に関するものである。
【背景技術】
【０００２】
従来から、氏名あるいは会社名や住所等を表示したり、製品名や品質等を表示したり、検査済みの検印を表示したりなど、様々な場所で印判が広く用いられている。この場合、インキを含浸させたインキ吸蔵体やインキカートリッジをスタンパ内に内蔵した構造として、捺印のたびに朱肉等に印字体を付着させる必要にないものが普及している。
【０００３】
しかし、前記印判の場合は、連続的に捺印処理することが多いため、捺印のたびにキャップを取り外して印字体を露出させることは面倒であった。また、キャップを開いた状態として印字体を露出させたままでは、印字体が乾いて鮮明な印影を得ることができないという問題があった。
【０００４】
一方、特許文献１に示されるように、キャップ内を可動軸が摺動自在に装着されており、捺印時には可動軸に設けた係止部がキャップのスリット後端の当接部に係止してロックした状態となり、ロックを解除する際には前記可動軸に設けた突起を内径方向に押し込めば前記係止部と前記当接部との係合が解除される開閉式の蓋付印鑑が提案されている。しかしながら、特許文献１に記載の印鑑の場合、前記突起がキャップの外に露出しているため、間違えて突起を押圧してしまう等の現象があり、不用意にロックが解除される場合があるという問題があった。
【先行技術文献】
【特許文献】
【０００５】
【特許文献１】実用新案登録第２５７０４８８号公報
【発明の概要】
【発明が解決しようとする課題】
【０００６】
本発明は上記のような従来の問題点を解決して、不用意にロック状態が解除されるのを防止できる印判を提供することを目的とする。
【課題を解決するための手段】
【０００７】
上記課題を解決するためになされた本発明の印判は、外筒と、この外筒内を上下に摺動可能であり、下方に印字体を備えた本体部を有し、捺印時において前記本体部の外周壁と前記外筒の内周壁のいずれか一方に突設した突起と、他方に前記突起と係合する係止部とからなり前記外筒に対して本体部を所定位置でロック可能なロック部と、前記外筒又は前記本体部に設けた本体部のロック状態を解除するロック解除部と、からなる印判であって、
前記本体部に係止されて本体部と一体的に上下動するホルダーを取り付け、
このホルダーの周壁部により前記ロック解除部が隠蔽される構造としたことを特徴とするものであり、これを請求項１に係る発明とする。
【０００８】
好ましい実施形態によれば、本体部の底面にインキ供給用の孔部が形成されており、この孔部上に直液式のインキカートリッジがセットされているものが好ましく、これを請求項２に係る発明とする。
【発明の効果】
【０００９】
請求項１に係る発明では、外筒と、この外筒内を上下に摺動可能であり、下方に印字体を備えた本体部を有し、捺印時において前記本体部の外周壁と前記外筒の内周壁のいずれか一方に突設した突起と、他方に前記突起と係合する係止部とからなり前記外筒に対して本体部を所定位置でロック可能なロック部と、前記外筒又は前記本体部に設けた本体部のロック状態を解除するロック解除部と、からなる印判であって、前記本体部に係止されて本体部と一体的に上下動するホルダーを取り付け、このホルダーの周壁部により前記ロック解除部が隠蔽される構造としたので、前記突起と係止部とが係合しているロック状態の時は、ロック解除部がホルダーの周壁部により外部から隠蔽された状態となる。この結果、間違えてロック解除部に手が触れ、不用意にロックが解除されることを確実に防止することができる。
【００１０】
また、請求項２に係る発明では、本体部の底面にインキ供給用の孔部が形成されており、この孔部上に直液式のインキカートリッジがセットされているものとしたので、孔部からインキが適量ずつ供給されることとなり、またカートリッジの交換時においても前記孔部に表面張力による膜が形成されてインキの漏れが防止されることとなる。
【図面の簡単な説明】
【００１１】
【図１】本体部がロックされていない状態の本発明の実施の形態を示す斜視図である。
【図２】図１のＡ−Ａ断面図である。
【図３】図１の側面図である。
【図４】本体部を押し込んだ状態を示す斜視図である。
【図５】図４のＢ−Ｂ断面図である。
【図６】図４の側面図である。
【図７】本体部をロックした状態を示す斜視図である。
【図８】図７のＣ−Ｃ断面図である。
【図９】図７の側面図である。
【図１０】本発明の本体部を示す上方側から見た斜視図である。
【図１１】本発明の本体部を示す下方側から見た斜視図である。
【図１２】図１０のＤ−Ｄ断面図である。
【発明を実施するための形態】
【００１２】
以下に、図面を参照しつつ本発明の好ましい実施の形態を示す。
図１は、本発明に係る印判の本体部がロックされていない状態を示す斜視図であり、図２はその状態のＡ−Ａ断面図、図３はその状態の側面図である。また、図４〜図６は本体部を押し込んだ状態を示す斜視図とＢ−Ｂ断面図と側面図であり、図７〜図９は本体部をロックした状態を示す斜視図とＢ−Ｂ断面図と側面図である。
【００１３】
図において、１は外筒、２は前記外筒１内を上下に摺動可能な本体部、３はこの本体部２の下方に備えられている印字体である。前記本体部２の外周壁には突起２ａが突設されており、また前記外筒１の内周壁には係止部１ａが突設されていて、これら突起２ａと係止部１ａからなるロック部が係合することにより、前記外筒１に対して本体部２が所定位置でロックされる構造となっている。尚、本発明において前記突起と前記係止部の関係は逆でもよく、突起が外筒の内周壁に、係止部１ａが本体部の外周壁に設けられていてもよい。
【００１４】
前記本体部２の上部には、該本体部２に係止されて本体部２と一体的に上下動するホルダー４が取り付けられている。図示のものでは、本体部２に設けた凸部５ａとホルダー４に設けた凹部５ｂの凹凸係合で一体化した構造となっている（凹凸関係は逆でもよい）。そして、このホルダー４には、下方に延びる周壁部４ａが垂設されており、この周壁部４ａによりロック解除部（詳細は後述する）を外部から隠蔽するように構成されている（図８を参照）。
【００１５】
前記本体部２を、図１０〜図１２に示す。本体部２は、中央部にインキカートリッジ７の装着部６ｂを有する矩形状の底部６ａと、前記装着部６ｂを挟むように立設した一対の柱部６ｃ、６ｃからなる。また、前記柱部６ｃの外周壁には、外筒１の内周壁に突設した係止部１ａと係合する突起２ａと、ホルダー４に設けた凹部５ｂと係合する凸部５ａが突設されている。ここで、前記柱部６ｃ、６ｃは可撓性であり、中央側へ撓ませる事で係止部１ａと突起２ａとの係合を解除する事が可能である。本発明では前記柱部６ｃ、６ｃをロック解除部と呼ぶ。なお、前記インキカートリッジ７の装着部６ｂには、複数個の孔部６ｄ（１個でもよい）が形成されており、この孔６ｄを通じてインキが印字体３に適量ずつ供給される構造となっている。
【００１６】
また、前記外筒１には、インキカートリッジ７の支持部材８が取り付けられており、インキカートリッジ７はホルダー４のカートリッジ収納部と支持部材８によって確実に固定された状態となっている。
更に、前記支持部材８と本体部２との間には、コイルバネのような弾発部材９が装着されており、本体部２に対して常に上向きに付勢した状態となっており、印字体３は外筒１内に収納された状態となっている。
【００１７】
なお、前記インキカートリッジ７として、直液式のインキカートリッジをセットした場合にも、前記孔６ｄを通じてインキが印字体３に適量ずつ供給される構造となっているのでインキ漏れを生じることがなく、またカートリッジ交換の際にもインキ漏れを生じることがない。
【００１８】
以下に、本発明の印判の捺印操作について説明する。
図１〜図３は、捺印前の状態（即ち、通常の状態）を示す。この状態では、前記弾発部材９に付勢されて本体部２は上方に引き上げられており、印字体３も外筒１内に収納された状態となっている。この時、外筒１の蓋体１ｂは閉じた状態となっており、印字体３の損傷から保護すると同時に印字体３の乾燥を防止している。また、この状態では、本体部２の突起２ａも上方に位置し、外筒１の係止部１ａとは係合していないため、ロックされた状態ではない。
【００１９】
図４〜図６は、弾発部材９の付勢に反してホルダー４を押し下げ、捺印可能とした状態を示す。ホルダー４の押し下げに連動して本体部２が下降し、一対の蓋体１ｂ、１ｂが開いて印字体３が露出しているので、捺印処理が可能となる。この状態では、本体部２の突起２ａと、外筒１の係止部１ａとは同じ高さに位置し、突起２ａ上に係止部１ａが乗っかった状態にあり、捺印前状態と同様、ロックされた状態ではない。
１回の捺印処理で終わるのであれば、ホルダー４の押し下げを止めれば前記弾発部材９に付勢されて本体部２は上方に引き上げられて元の位置にもどることとなる（図１〜図３を参照）。一方、本体部２への印字体３の組み込み作業時や、印字体３の清掃、連続捺印時等の際は、次工程のように印字体３を前記外筒１より下方に突出させた状態でロックすることになる。
【００２０】
図７〜図９は、外筒１に対して本体部２がロックされた状態を示す。即ち、連続して捺印処理する場合や、印字体３を本体部２に組み込む場合等には、印字体３を固定しておくと便利である。そこで、外筒１に対して本体部２をロックして、印字体３を前記外筒１より下方に突出させた状態を保持できる構造とした。
この場合は、前工程の段階から、弾発部材９の付勢に反してホルダー４を更に押し下げて、本体部２の突起２ａが外筒１の係止部１ａを乗り越えるように下降させる。前記突起２ａが係止部１ａの下側に入ると両者が係合してロックがかかり、弾発部材９の付勢力が作用しても本体部２は上方に引き上げられることがなく、その位置を保持することとなるので、以後、連続して捺印が可能となる。
【００２１】
その後、ロックした状態を解除する場合は、前記ホルダー４を前記本体部２から外した後、前記本体部２のロック解除部としての柱部６ｃ、６ｃを中央側へ撓ませることで突起２ａと係止部１ａの係合を解除すると、弾発部材９に付勢されて本体部２が上昇し、捺印前の状態（即ち、通常の状態）に復帰することになる。即ち、ホルダー４を外さない限りロック解除できない構造である為、柱部６ｃ、６ｃに手が触れ、不用意にロックが解除されることを確実に防止することができる。
【００２２】
以上の説明からも明らかなように、本発明は外筒と、この外筒内を上下に摺動可能であり、下方に印字体を備えた本体部を有し、捺印時において前記本体部の外周壁に突設した突起と、前記外筒の内周壁に突設した係止部とが係合することで、前記外筒と本体部とが所定位置でロックされる印判であって、前記本体部に係止されて本体部と一体的に上下動するホルダーを取り付け、このホルダーの周壁部によりロック解除部としての前記柱部が隠蔽される構造としたので、間違えて柱部に手が触れてしまう等の現象がなくなり、不用意にロックが解除されることを確実に防止することができることとなる。
【符号の説明】
【００２３】
１  外筒
１ａ  係止部
１ｂ  蓋体
２  本体部
２ａ  突起
３  印字体
４  ホルダー
４ａ  周壁部
５ａ  凸部
５ｂ  凹部
６ａ  底部
６ｂ  装着部
６ｃ  柱部
６ｄ  孔部
７  インキカートリッジ
８  支持部材
９  弾発部材
【図１】
2020157694.tif 000003
【図２】
2020157694.tif 000004
【図３】
2020157694.tif 000005
【図４】
2020157694.tif 000006
【図５】
2020157694.tif 000007
【図６】
2020157694.tif 000008
【図７】
2020157694.tif 000009
【図８】
2020157694.tif 000010
【図９】
2020157694.tif 000011
【図１０】
2020157694.tif 000012
【図１１】
2020157694.tif 000013
【図１２】
2020157694.tif 000014